(57)【特許請求の範囲】
【請求項１】
フラットケーブルまたはフラット状に並べられたディスクリートワイヤと接続するコネクタにおいて、
前記コネクタは、端子と前記端子を保持するハウジングとカバーとを有し、
前記ハウジングは、シール材が注入されるシール材充填部を有し、
前記カバーは、本体部と固定部とを有し、前記本体部は、前記シール材充填部を被覆し、
前記固定部の幅は、前記フラットケーブルまたはフラット状に並べられた前記ディスクリートワイヤの幅とほぼ等しく、
前記コネクタに前記フラットケーブルまたは前記ディスクリートワイヤを接続した後、前記固定部と前記フラットケーブルまたは前記ディスクリートワイヤとを挟むように収縮チューブを配置して前記収縮チューブを収縮させることにより、前記カバーに前記フラットケーブルまたは前記ディスクリートワイヤを保持させることを特徴とするコネクタ。
【請求項２】
前記固定部は凹凸形状を有することを特徴とする請求項１記載のコネクタ。
【請求項３】
前記固定部は前記収縮チューブの抜け防止のための係止部を有することを特徴とする請求項１又は２記載のコネクタ。
【発明の詳細な説明】
【技術分野】
【０００１】
本発明は、ケーブルを収縮チューブによりカバーに固定することによって、ケーブルの動きをシール材と、ケーブルと基板との半田付け接続部に伝えないようにして、防水性の向上とケーブルの半田付結線部の断線の防止を図るコネクタの構造に関する。
【背景技術】
【０００２】
第１の従来技術のコネクタについて図８を参照して説明する。
【０００３】
図８は、ハウジング２２にケーブル２６が接続されているコネクタ２１の斜視図である。ハウジング２２がカバー２５によって被覆されている状態を示す。ハウジング２２の内部には、基板（図示せず）が装着され、基板に所定のピッチで多数の端子（図示せず）が１列に配設されている。基板には、ケーブル２６が半田付けされている。また、ハウジング２２の開口面を被覆するようにカバー２５が装着される。
【０００４】
ハウジング２２に基板とカバー２５を装着した状態で、ハウジング２２のポッティング剤（シール材）充填部（図示せず）にポッティング剤を注入する。
【０００５】
第２の従来技術の同軸コネクタは、本出願前に頒布された刊行物に記載されている（例えば、特許文献１参照。）。
【０００６】
この同軸コネクタは、取付構造が簡単で、しかも、特性劣化が少ないものである。
【０００７】
図９において、同軸コネクタ４１のハウジング４２には、略Ｃ字状の断面形状を有する中空円筒状の取付部４３が設けられている。取付部４３の先端部は複数の係合片４３ａに分割され、各係合片４３ａの内壁側に突起４３ａ１が形成されている。取付部４３に同軸ケーブル４５の外導体４６を接続した後、熱収縮チューブ５１によって被覆する。
【０００８】
熱収縮チューブ５１を熱収縮させると、取付部４３の各係合片４３ａが内側に押圧され、各突起４３ａ１は同軸ケーブル４５の外導体４６に係合する。
【０００９】
【特許文献１】特開平５−２４２９３１号公報
【発明の開示】
【発明が解決しようとする課題】
【００１０】
前記第１の従来技術は、コネクタのハウジングの内部をシール材でポッティング作業中に、又はシール材の硬化中にハーネスを移動させる等のストレスが加わると、ケーブルと基板との半田付け接続部にストレスが加わる。この結果、ケーブルが断線して、回路の接続不良が発生するおそれがある。
【００１１】
また、従来、ハーネス作業時にストレスがケーブルに加わることを防止するため、種々の保護用の治具が使用されているが、ケーブルを移動させる際やポッティング剤注入時の作業性が低下している。
【００１２】
前記第２の従来技術は、熱収縮チューブを熱収縮させると、取付部の各係合片が内側に押圧され、各突起は同軸ケーブルの外導体に係合するものである。
【００１３】
したがって、前記各従来技術には、基板とケーブルとの半田接続部の破損対策と、ポッティング剤とケーブルとの境界面の剥離対策が、講じられていない。
【００１４】
そこで、本発明は、ケーブルにストレスがかかっても、基板とケーブルとの半田接続部の破損を防止することができ、また、ポッティング剤とケーブルとの境界面の剥離も防止することができ、しかも、収縮チューブを収縮させてもケーブルが収縮に伴う丸まり状態になることを防止するコネクタを提供しようとするものである。
【課題を解決するための手段】
【００１５】
本発明は、前記課題を解決するため、下記の手段を採用する。構成の次に括弧を付して実施例の部材・部位の符号を記入する。
【００１６】
１．フラットケーブルまたはフラット状に並べられたディスクリートワイヤ（６）と接続するコネクタ（１，１１）において、前記コネクタは、端子（４）と前記端子を保持するハウジング（２）とカバー（５，１５）とを有し、前記ハウジングは、シール材が注入されるシール材充填部（２ａ）を有し、前記カバーは、本体部（５ａ，１５）と固定部（５ｂ，１６）とを有し、前記本体部は、前記シール材充填部を被覆し、前記固定部（５ｂ，１６）の幅は、前記フラットケーブルまたはフラット状に並べられた前記ディスクリートワイヤ（６）の幅とほぼ等しく、前記コネクタに前記フラットケーブルまたは前記ディスクリートワイヤを接続した後、前記固定部と前記フラットケーブルまたは前記ディスクリートワイヤとを挟むように収縮チューブ（７，１７）を配置して前記収縮チューブを収縮させることにより、前記カバーに前記フラットケーブルまたは前記ディスクリートワイヤを保持させるコネクタ。
【００１７】
２．前記固定部（５ｂ）は凹凸形状（５ｂ１）を有する前記１記載のコネクタ。
【００１８】
３．前記固定部（５ｂ，１６）は前記収縮チューブの抜け防止のための係止部（１６ｃ）を有する前記１又は２記載のコネクタ。
【発明の効果】
【００１９】
明細書の説明から明らかなように、本発明は、次の効果を奏する。
【００２０】
１．ケーブルにストレスがかかっても、基板とケーブルとの半田接続部の破損を防止することができ、また、シール材とケーブルとの境界面の剥離も防止することができるコネクタを提供することができる。
【００２１】
２．収縮チューブがカバーの固定部の凹凸形状によって収縮時に保持されるので、ケーブルはカバーから離脱しない。
【００２２】
３．固定部が収縮チューブの抜け防止のための係止部を有するので、ケーブルはカバーから離脱しない。
【００２３】
４．カバーの本体部及び固定部と、収縮チューブとによって所期の目的を達成することができるので、構造が簡素であり、また、部品点数が少なく、組立分解が簡便である。
【００２４】
５．従来のように、種々の保護用の治具を使用する必要がないので、ハーネス作業性が向上する。
【発明を実施するための最良の形態】
【００２５】
本発明の２つの実施例のコネクタについて説明する。
【実施例１】
【００２６】
本発明の実施例１について図１〜図５を参照して説明する。
【００２７】
図１はハウジング２にケーブル６が接続されているコネクタ１の斜視図であり、（Ａ）は嵌合側から見た状態、（Ｂ）はカバー５側から見た状態を、それぞれ示す。ハウジング２の内部には、基板３が装着され、基板３に所定のピッチで多数の端子４が１列に配設されている。基板３の裏面には、ケーブル６が半田付け６´されている。また、ハウジング２の開口面を被覆するようにカバー５が装着される。
【００２８】
図２に示されるように、ハウジング２に基板３とカバー５を装着した状態で、ハウジング２のポッティング剤（シール材）充填部２ａにポッティング剤を注入する。なお、ケーブル６は、ハウジング２の側壁部に形成された切り欠き部２ｂに配置される。
【００２９】
図３は、ハウジング２を被覆するカバー５の固定部５ｂにケーブル６が固定されている状態において、収縮チューブ７をケーブル６の一端から通してカバー５の固定部５ｂに装着して収縮させる前の斜視図である。
【００３０】
なお、収縮チューブ７は、ケーブル６が半田付けされてコネクタ１に固定される前にあらかじめ、ケーブル６に挿入しておいてもよい。
【００３１】
カバー５は、本体部５ａと、本体部５ａから突出する固定部５ｂとから構成される。固定部５ｂの両側には、凹凸形状５ｂ１が形成され、凸部の幅はケーブル６の幅と等しく、凹部の幅はケーブル６の幅よりも若干狭い。この凹凸部が、収縮チューブ７を収縮した後、収縮チューブ７を保持する役割を果たす。ポッティング剤の注入後に、収縮チューブ７を収縮させることによって、固定部５ｂとケーブル６とを固定する。収縮チューブ７には、熱収縮タイプを採用する。ポッティング剤が硬化する前段階でケーブル６を固定部５ｂの凸部と固定することによって、ポッティング剤が硬化するまでの間及びハーネス作業時、又は製品状態でケーブル６にストレスがかかるような状態になっても、固定部５ｂから先のケーブル６の半田付け部及びポッティング部にストレスが加わることがない。
【００３２】
本実施例では、ハウジング２のポッティング剤充填部２ａに基板３を挿入して、ケーブル６は、基板３に接続して基板３上にポッティング剤を注入したが、基板を用いずにケーブル６を直接端子４の接続部４ａに半田付けしてもよい。
【００３３】
図４は、ケーブル６を見る方向とケーブル６の種類を示す諸図であり、（Ａ）はケーブル６を見る方向を矢印で示すコネクタ１の斜視図、（Ｂ）は収縮チューブ７を収縮させることによってフラットケーブル６ａとカバー５を固定した状態を示し、（Ａ）の矢印方向から見た図、（Ｃ）は収縮チューブ７を収縮させることによってディスクリートワイヤ６ｂとカバー５を固定した状態を示し、（Ａ）の矢印方向から見た図を、それぞれ示す。フラットケーブル６ａでも、ディスクリートワイヤ６ｂでも、同様の効果が得られる。フラットケーブル６ａの使用時に、固定部５ｂの凸部の幅をケーブル６の幅とほぼ等しくすることによって、収縮チューブ７を収縮させても、フラットケーブル６ａが収縮に伴う丸まり状態になるのを防止することができる。したがって、フラットケーブル６ａとカバー５を固定することができる。カバー５は、樹脂材又は一層強度が大きい金属材から構成される。
【００３４】
本実施例１によれば、図５に示されるように、ケーブル６の一端に矢印方向に揺動するように外力が加わっても、基板３に対するケーブル６の半田付け部及びハウジング２のポッティング剤充填部２ａに力が伝わらない。したがって、半田付け部及びポッティング剤充填部２ａにストレスが加わることがなく、ケーブル６の半田付け部６´の剥がれ等の断線による回路接続不良やケーブル６とポッティング剤との境界面の剥がれによる防水性の低下を防止することができる。
【００３５】
なお、カバー５の固定部５ｂに収縮チューブ７の抜け防止のための係止部（実施例２の係止部１６ｃ参照）を設けることができる。
【実施例２】
【００３６】
本発明の実施例２について図６と図７を参照して説明する。実施例２についての説明は、本実施例１と同様な点の説明を省略し、相違する点の説明を行う。
【００３７】
図６（Ａ）〜（Ｃ）は、コネクタ１１の諸斜視図である。（Ａ）に示されるように、カバー１５と固定部１６とは、別個の部材として製作される。固定部１６は、本体部１６ａと、本体部１６ａの一端側に形成されている接着部１６ｂと、本体部１６ａの他端側に折曲形成されている係止部１６ｃとから構成される。係止部１６ｃの高さは、収縮チューブ１７の厚さよりも若干大きく設定される。カバー１５に固定部１６の接着部１６ｂを矢印方向に接着する。
【００３８】
収縮チューブ１７を（Ｂ）におけるケーブル６に通して固定部１６の本体部１６ａに装着する。なお、実施例１と同様にケーブル６の半田付け前にあらかじめ収縮チューブ１７をケーブル６に装着しておいてもよい。
【００３９】
すると、図６（Ｃ）と図７に示されるように、収縮チューブ１７は、本体部１６ａの他端側に折曲形成されている係止部１６ｃによってケーブル６から抜け出ることを防止される。
【００４０】
なお、固定部１６の突部１６ｄをハウジング２の切り欠き部２ｂ（図２参照）からポッティング剤充填部２ａ（図２参照）内に配置するようにして、カバー１５に接着又はカバー１５とハウジング２の両方に接着するようにしてもよい。
【００４１】
実施例１，２においては、ケーブル６の断面が丸型形状（同心円形状）であっても、所期の目的を達成することができる。この場合には、カバー５の本体部５ａから突出する固定部５ｂと固定部１６の本体部１６ａをＵ字状に形成する。
【図面の簡単な説明】
【００４２】
【図１】本発明の実施例１のコネクタの斜視図であり、（Ａ）はコネクタの嵌合側から見た状態、（Ｂ）は同コネクタのカバー側から見た状態を、それぞれ示す。
【図２】同ハウジングに基板と同カバーを装着した状態で、同ハウジングのポッティング剤充填部にポッティング剤を注入するときの斜視図である。
【図３】同ハウジングを被覆する同カバーの固定部にケーブルが固定されている状態において、収縮チューブを同ケーブルの一端から通して同カバーの固定部に装着して収縮させる前の斜視図である。
【図４】同ケーブルを見る方向と同ケーブルの種類を示す諸図であり、（Ａ）は同ケーブルを見る方向を矢印で示す同コネクタの斜視図、（Ｂ）は同収縮チューブ７を収縮させることによってフラットケーブルと同カバーを固定した状態の図、（Ｃ）は同収縮チューブを収縮させることによってディスクリートワイヤと同カバーを固定した状態の図を、それぞれ示す。
【図５】同ケーブルの一端に矢印方向に揺動するように外力が加わっても、同基板に対する同ケーブルの半田付け部及び同ハウジングの同ポッティング剤充填部に力が伝わらないことを示す斜視図である。
【図６】本発明の実施例２のコネクタの諸斜視図であり、（Ａ）は別個の部材として製作されたカバーと固定部、（Ｂ）は同固定部に収縮チューブを装着する前の状態、（Ｃ）は同固定部に同収縮チューブを装着した状態を、それぞれ示す。
【図７】同固定部に同収縮チューブを装着した状態の側面図である。
【図８】第１の従来技術のコネクタの斜視図である。
【図９】第２の従来技術のコネクタの斜視図である。
【符号の説明】
【００４３】
１  コネクタ
２  ハウジング
２ａ  ポッティング剤（シール材）充填部
２ｂ  切り欠き部
３  基板
４  端子
４ａ  接続部
５  カバー
５ａ  本体部
５ｂ  固定部
５ｂ１  凹凸形状
６  ケーブル
６´  半田付け部
６ａ  フラットケーブル
６ｂ  ディスクリートワイヤ
７  収縮チューブ
１１  コネクタ
１５  カバー
１６  固定部
１６ａ  本体部
１６ｂ  接着部
１６ｃ  係止部
１６ｄ  突部
１７  収縮チューブ
【図１】
0004859249.tif 000002
【図２】
0004859249.tif 000003
【図３】
0004859249.tif 000004
【図４】
0004859249.tif 000005
【図５】
0004859249.tif 000006
【図６】
0004859249.tif 000007
【図７】
0004859249.tif 000008
【図８】
0004859249.tif 000009
【図９】
0004859249.tif 000010